(57)【要約】【課題】ネットワーク中継装置において、マネージメントカードが実装されていない場合であっても、新たに実装されるネットワーク収容カードでのネットワークとのインタフェースの設定を可能にする技術を提供する。【解決手段】新たに実装されたネットワーク収容カードＮＣは、マネージメントカードＭＭＣがスロットＭＭＳＬに接続されていない場合には、他のネットワーク収容カードＮＣから、自身のカード種類に対応するインタフェース設定値を受け取り、当該インタフェース設定値に基づいてネットワークとのインタフェースを設定する。【選択図】図１
2007088668.tif 000002
【特許請求の範囲】
【請求項１】
複数のネットワーク間の信号を中継するネットワーク中継装置であって、
前記複数のネットワークにそれぞれ接続される複数のネットワーク収容カードと、
前記複数のネットワーク収容カードの状態を監視するマネージメントカードと、
前記複数のネットワーク収容カード及び前記マネージメントカードが着脱自在な複数のスロットと、
前記複数のネットワーク収容カード及び前記マネージメントカードのうち前記複数のスロットに接続されたカード間の信号を伝送する、前記複数のスロットに接続された信号伝送回路と
を備え、
前記複数のネットワーク収容カードは複数種類のカードを含んでおり、
前記マネージメントカードは、ネットワーク収容カードにおけるネットワークとのインタフェースに関する設定値を、前記複数種類のそれぞれに個別に対応して記憶し、
前記複数のネットワーク収容カードのうち前記複数のスロットのいずれかに接続されたネットワーク収容カードは、
前記マネージメントカードが前記複数のスロットのいずれかに接続されている場合には、当該マネージメントカードから自身のカード種類に対応する前記設定値を前記信号伝送回路を介して受け取って記憶するとともに、当該設定値に基づいて自身に接続されるネットワークとのインタフェースを設定し、
前記マネージメントカードが前記複数のスロットのいずれかに接続されていない場合には、前記複数のスロットのいずれかに接続された他のネットワーク収容カードから自身のカード種類に対応する前記設定値を前記信号伝送回路を介して受け取って記憶するとともに、当該設定値に基づいて自身に接続されるネットワークとのインタフェースを設定する、ネットワーク中継装置。
【請求項２】
請求項１に記載のネットワーク中継装置であって、
前記複数のスロットのいずれかに接続されたネットワーク収容カードは、前記複数のスロットのいずれかに接続された前記マネージメントカードから、自身のカード種類に対応する前記設定値だけではなく、自身とは異なるカード種類に対応する前記設定値をも前記信号伝送回路を介して受け取って記憶する、ネットワーク中継装置。
【請求項３】
請求項１及び請求項２のいずれか一つに記載のネットワーク中継装置であって、
前記複数のスロットのいずれかに接続されたネットワーク収容カードは、自身が記憶する前記設定値の受け取り元を判別する情報を記憶し、
前記複数のスロットのいずれかに接続された前記マネージメントカードは、前記複数のスロットのいずれかに接続されたネットワーク収容カードが記憶する前記情報を前記信号伝送回路を介して読み出すことが可能である、ネットワーク中継装置。
【発明の詳細な説明】
【技術分野】
【０００１】
本発明は、複数のネットワーク間の信号を中継するネットワーク中継装置に関する。
【背景技術】
【０００２】
複数のネットワーク間の信号を中継するネットワーク中継装置に関する技術が特許文献１に開示されている。特許文献１に記載の技術では、それぞれがネットワークに接続される複数のネットワーク収容カードと、当該ネットワーク収容カードの状態を監視するマネージメントカードとがそれぞれ複数のスロットに接続され、これらのカードはバックプレーン回路によって相互に接続されている。
【０００３】
【特許文献１】特開平７−３０５７７号公報
【発明の開示】
【発明が解決しようとする課題】
【０００４】
特許文献１にも記載されている従来のネットワーク中継装置では、ネットワーク収容カードにおけるネットワークとのインタフェースに関する設定値は、マネージメントカード内に記憶されている。したがって、保守作業等のためにマネージメントカードがスロットから取り外されている状態において、ネットワーク収容カードが新たにスロットに接続されると、当該ネットワーク収容カードではそれに接続されるネットワークとのインタフェースの設定が行えず、当該ネットワークと、既に実装されているネットワーク収容カードに接続されているネットワークとの間で信号の中継を行うことができないという問題が生じる。
【０００５】
そこで、本発明は上述の問題に鑑みて成されたものであり、ネットワーク中継装置において、マネージメントカードが実装されていない場合であっても、新たに実装されるネットワーク収容カードでのネットワークとのインタフェースの設定を可能にする技術を提供することを目的とする。
【課題を解決するための手段】
【０００６】
この発明のネットワーク中継装置は、複数のネットワーク間の信号を中継するネットワーク中継装置であって、前記複数のネットワークにそれぞれ接続される複数のネットワーク収容カードと、前記複数のネットワーク収容カードの状態を監視するマネージメントカードと、前記複数のネットワーク収容カード及び前記マネージメントカードが着脱自在な複数のスロットと、前記複数のネットワーク収容カード及び前記マネージメントカードのうち前記複数のスロットに接続されたカード間の信号を伝送する、前記複数のスロットに接続された信号伝送回路とを備え、前記複数のネットワーク収容カードは複数種類のカードを含んでおり、前記マネージメントカードは、ネットワーク収容カードにおけるネットワークとのインタフェースに関する設定値を、前記複数種類のそれぞれに個別に対応して記憶し、前記複数のネットワーク収容カードのうち前記複数のスロットのいずれかに接続されたネットワーク収容カードは、前記マネージメントカードが前記複数のスロットのいずれかに接続されている場合には、当該マネージメントカードから自身のカード種類に対応する前記設定値を前記信号伝送回路を介して受け取って記憶するとともに、当該設定値に基づいて自身に接続されるネットワークとのインタフェースを設定し、前記マネージメントカードが前記複数のスロットのいずれかに接続されていない場合には、前記複数のスロットのいずれかに接続された他のネットワーク収容カードから自身のカード種類に対応する前記設定値を前記信号伝送回路を介して受け取って記憶するとともに、当該設定値に基づいて自身に接続されるネットワークとのインタフェースを設定する。
【発明の効果】
【０００７】
この発明のネットワーク中継装装置によれば、スロットに接続されたネットワーク収容カードは、マネージメントカードがスロットに接続されていない場合には、スロットに接続された他のネットワーク収容カードから自身のカード種類に対応した設定値を受け取って記憶するとともに、当該設定値に基づいてネットワークとのインタフェースを設定している。したがって、保守作業等のためにマネージメントカードが取り外された場合であっても、新たにスロットに接続されたネットワーク収容カードは、自身に接続されたネットワークとの通信を行うことができる。その結果、本ネットワーク中継装置は、マネージメントカードが実装されていない場合であっても、複数のネットワーク間の信号の中継を行うことができる。
【発明を実施するための最良の形態】
【０００８】
図１は本発明の実施の形態に係るネットワーク中継装置１００の構成を示すブロック図である。本実施の形態に係るネットワーク中継装置１００では、互いに仕様が異なる複数種類のネットワーク間の信号を中継することができる。図１に示されるように、本実施の形態に係るネットワーク中継装置１００は、それぞれがネットワークに接続されるｎ（≧２）個のネットワーク収容カードＮＣ１〜ＮＣｎと、ネットワーク間における通信パケット等のネットワーク信号の伝送を制御する主信号制御カードＭＳＣと、ネットワーク収容カードＮＣ１〜ＮＣｎの状態を監視するマネージメントカードＭＭＣと、これらのカード間の信号を伝送する信号伝送回路として機能するバックプレーン回路ＢＰＣとを備えている。さらに本ネットワーク中継装置１００は、主信号制御カードＭＳＣが着脱自在なスロットＭＳＳＬと、マネージメントカードＭＭＣが着脱自在なスロットＭＭＳＬと、ｎ個のネットワーク収容カードＮＣ１〜ＮＣｎがそれぞれ着脱自在なｎ個のスロットＮＳＬ１〜ＮＳＬｎとを備えており、これらのスロットＭＳＳＬ，ＭＭＳＬ，ＮＳＬ１〜ＮＳＬｎはバックプレーン回路ＢＰＣに接続されている。
【０００９】
バックプレーン回路ＢＰＣは図示しない基板上に形成されており、当該基板は、スロットＭＭＳＬ、ＭＳＳＬ，ＮＳＬ１〜ＮＳＬｎとともに図示しない筺体内に収められている。当該筺体には開口部が設けられており、スロットＭＭＳＬ、ＭＳＳＬ，ＮＳＬ１〜ＮＳＬｎは当該開口部から露出するように筺体内に配置されている。そしてスロットＮＳＬ１〜ＮＳＬｎには、１番〜ｎ番までのスロット番号がそれぞれ付されている。なお以後、ネットワーク収容カードＮＣ１〜ＮＣｎを総称して「ネットワーク収容カードＮＣ」と呼び、スロットＮＳＬ１〜ＮＳＬｎを総称して「スロットＮＳＬ」と呼ぶことがある。
【００１０】
バックプレーン回路ＢＰＣには、基準信号生成部１と、スロット番号通知部２とが設けられている。基準信号生成部１は、後述する実装情報２００に含まれる伝送クロック信号２０１と、当該実装情報２００に含まれるデータ信号２０２中のスタートフラグＳＴＡＲＴ及びストップフラグＳＴＯＰを出力する。スロット番号通知部２は、ネットワーク収容カードＮＣがスロットＮＳＬに接続されると、当該ネットワーク収容カードＮＣに対して、それが接続されているスロットＮＳＬのスロット番号を通知する。
【００１１】
さらにバックプレーン回路ＢＰＣには、主信号伝送バスＭＳＢと、設定値伝送バスＳＶＢと、実装情報伝送バスＩＩＢと、警報関連信号伝送バスＡＲＢとが設けられており、これらのバスはそれぞれ複数の信号線で構成されている。主信号伝送バスＭＳＢはスロットＭＳＳＬ及びスロットＮＳＬ１〜ＮＳＬｎに各々の信号線で１対１に接続されており、設定値伝送バスＳＶＢ及び警報関連信号伝送バスＡＲＢはスロットＭＭＳＬ及びスロットＮＳ１〜ＮＳｎに接続されている。また、警報関連信号伝送バスＡＲＢはスロットＭＳＳＬにも接続されている。そして、実装情報伝送バスＩＩＢはスロットＮＳ１〜ＮＳｎに接続されている。
【００１２】
主信号伝送バスＭＳＢは、スロットＮＳＬに接続されているネットワーク収容カードＮＣ及びスロットＭＳＳＬに接続されている主信号制御カードＭＳＣの間においてネットワーク信号を伝送する。設定値伝送バスＳＶＢは、スロットＮＳＬに接続されているネットワーク収容カードＮＣ及びスロットＭＭＳＬに接続されているマネージメントカードＭＭＣの間において、ネットワーク収容カードＮＣでのネットワークとのインタフェースに関する設定値（以後、「インタフェース設定値」と呼ぶ）を伝送する。インタフェース設定値には、例えば、通信速度の値や、全二重通信及び半二重通信のどちらの通信方式で行うかを示す情報などが含まれている。実装情報伝送バスＩＩＢは、バックプレーン回路ＢＰＣ内の基準信号生成部１及びスロットＮＳＬに接続されているネットワーク収容カードＮＣの間において実装情報２００を伝送する。警報関連信号伝送バスＡＲＢは、スロットＮＳＬに接続されているネットワーク収容カードＮＣ及びスロットＭＭＳＬに接続されているマネージメントカードＭＭＣの間において、後述する警報情報ＡＲＭ及び警報出力設定値を伝送する。
【００１３】
図２はマネージメントカードＭＭＣの構成を示すブロック図である。図２に示されるように、マネージメントカードＭＭＣは、当該カード内の他の構成要素の動作を主に制御するＣＰＵ１１と、インタフェース設定値を記憶する設定値記憶部１２と、警報情報ＡＲＭを記憶する警報情報記憶部１３と、実装通知信号ＭＩＳを出力する実装通知部１４と、外部装置との間のデータの送受信を行う外部インタフェース部１５と、スロットＭＭＳＬとの接続端子１６と、外部装置と接続される外部入出力端子１７とを備えている。
【００１４】
本実施の形態では、ネットワーク収容カードＮＣは複数種類存在しており、これらの複数種類のネットワーク収容カードＮＣには、互いに仕様が異なる複数種類のネットワークがそれぞれ接続される。したがって、複数種類のネットワーク収容カードＮＣでは互いに仕様が異なっている。ネットワーク収容カードＮＣの種類としては、例えば、イーサーネットを収容するネットワーク収容カードＮＣや、ＡＴＭ（Asynchronous Transfer Mode）ネットワークを収容するネットワーク収容カードＮＣが存在する。
【００１５】
インタフェース設定値は、ネットワーク収容カードＮＣの種類に応じて用意される。本実施の形態では、ネットワーク収容カードＮＣのカード種類はｍ（２≦ｍ≦ｎ）種類であって、カード種類ＴＹＰ１〜ＴＹＰｍまで存在している。そして、カード種類ＴＹＰ１〜ＴＹＰｍに対応するインタフェース設定値をそれぞれインタフェース設定値ＳＶ１〜ＳＶｍとする。以後、カード種類ＴＹＰ１〜ＴＹＰｍを総称して「カード種類ＴＹＰ」と呼び、インタフェース設定値ＳＶ１〜ＳＶｍを総称して「インタフェース設定値ＳＶ」と呼ぶことがある。図２に示されるように、設定値記憶部１２は、すべてのカード種類ＴＹＰについてのインタフェース設定値ＳＶを、対応するカード種類ＴＹＰとともに記憶している。
【００１６】
警報情報記憶部１３は、スロットＮＳＬに接続されているネットワーク収容カードＮＣから出力される警報情報ＡＲＭを記憶する。当該警報情報ＡＲＭには、例えば、ネットワーク収容カードＮＣでの動作クロックの停止を示す情報や、ネットワーク収容カードでの過剰な温度上昇などを示す情報が含まれる。実装通知部１４は、マネージメントカードＭＭＣのスロットＭＭＳＬへの接続を検出し、その旨を示す実装通知信号ＭＩＳを接続端子１６に出力する。例えば、実装通知部１４は、一端が電源電位に接続される抵抗素子（図示せず）を備えており、当該抵抗素子の他端は接続端子１６に接続されている。そして、バックプレーン回路ＢＰＣには、一端に接地電位が印加される信号線（図示せず）が設けられており、当該信号線の他端はスロットＭＳＳＬに接続されている。これにより、実装通知部１４内の抵抗素子の他端の電位は、マネージメントカードＭＭＣがスロットＭＳＳＬに接続されると電源電位から接地電位に変化する。実装通知部１４はこの電位変化を検出することにより、マネージメントカードＭＭＣのスロットＭＳＳＬへの接続を認識することができる。そして実装通知部１４は、抵抗素子の他端の電位変化を検出すると、例えばＨｉｇｈレベルの実装通知信号ＭＩＳを出力する。
【００１７】
マネージメントカードＭＭＣの接続端子１６がスロットＭＭＳＬに接続されると、設定値記憶部１２は設定値伝送バスＳＶＢに、ＣＰＵ１１は警報関連信号伝送バスＡＲＢにそれぞれ電気的に接続される。そして、外部インタフェース部１５は、外部入出力端子１７を介してパーソナルコンピュータ等の外部装置と電気的に接続され、当該外部装置と通信可能となる。外部インタフェース部１５は、例えばシリアル通信方式で外部装置と通信を行う。
【００１８】
図３はネットワーク収容カードＮＣの構成を示すブロック図である。複数のネットワーク収容カードＮＣ１〜ＮＣｍではそれらの構成は互いに同じである。図３では、それらを代表して、スロットＮＳＬ１に接続されるネットワーク収容カードＮＣ１の構成を詳細に示している。また図３では、説明の便宜上、スロットＮＳＬ２に接続されるネットワーク収容カードＮＣ２の内部構成も部分的に示している。さらに図３では、バックプレーン回路ＢＰＣが備えるスロット番号通知部２の内部構成も説明の便宜上部分的に示している。
【００１９】
図３に示されるように、ネットワーク収容カードＮＣは、収容ポート２１と、ネットワークインタフェース部２２と、実装情報インタフェース部２３と、自カード種類記憶部２４と、設定値インタフェース部２５と、自カード設定値記憶部２６と、異常検出部２７と、自カード警報情報記憶部２８と、発光部２９と、発光制御部３０と、警報出力設定レジスタ３１と、スロットＮＳＬとの接続端子３２と、複数の抵抗素子Ｒとを備えている。
【００２０】
収容ポート２１には、ネットワーク収容カードＮＣのカード種類ＴＹＰに応じたネットワークが接続される。ネットワークインタフェース部２２は、収容ポート２１に接続されたネットワークと通信を行う。自カード種類記憶部２４は、ネットワーク収容カードＮＣのカード種類ＴＹＰを記憶している。自カード設定値記憶部２６は、ネットワーク収容カードＮＣのカード種類ＴＹＰに対応するインタフェース設定値ＳＶを記憶する。
【００２１】
異常検出部２７は、ネットワーク収容カードＮＣ内での様々な異常を検出する。例えば、本実施の形態に係る異常検出部２７には、ネットワーク収容カードＮＣの温度を検出する温度検出センサーが設けられており、異常検出部２７は当該温度検出センサーからの検出温度が一定温度以上になると過度の温度上昇であると判断し、その旨を示す情報を警報情報ＡＲＭとして出力する。また本実施の形態に係るネットワーク収容カードＮＣ内のネットワークインタフェース部２２、実装情報インタフェース部２３及び設定値インタフェース部２５などは一定周波数の動作クロックに同期して動作しており、異常検出部２７は、当該動作クロックの発振を監視し、それが停止した際にはその旨を示す情報を警報情報ＡＲＭとして出力する。自カード警報情報記憶部２８は、異常検出部２７から出力される警報情報ＡＲＭを記憶する。
【００２２】
発光部２９は複数のＬＥＤ（light emitting diode）２９ａを備えており、これらのＬＥＤ２９ａは異常検出部２７で検出される複数種類の異常にそれぞれ対応している。警報出力設定レジスタ３１にはマネージメントカードＭＭＣから出力される警報出力設定値が書き込まれる。この警報出力設定値は、ネットワーク収容カードＮＣ内である異常が発生した場合にそれに対応するＬＥＤ２９ａを点灯させるか否かを示すデータを異常の種類ごとに含んでいる。発光制御部３０は、ある異常が発生したことを示す警報情報ＡＲＭを異常検出部２７から受け取ると、警報出力設定レジスタ３１内の警報出力設定値を参照して、当該異常に対応するＬＥＤ２９ａを点灯させるかどうかを決定し、それに基づいてＬＥＤ２９ａの発光を制御する。これにより、ネットワーク収容カードＮＣ内である異常が発生した場合には、警報出力設定レジスタ３１での設定値に応じて、当該異常に対応するＬＥＤ２９ａが点灯したり、点灯しなかったりする。
【００２３】
複数の抵抗素子Ｒのそれぞれの一端には電源電位が印加され、それぞれの他端には実装情報インタフェース部２３及び接続端子３２が接続されている。ネットワーク収容カードＮＣの接続端子３２がスロットＮＳＬに接続されると、抵抗素子Ｒのそれぞれの他端は、図３に示されるように、バックプレーン回路ＢＰＣのスロット番号通知部２に電気的に接続される。なお図３ではスロットＮＳＬの記載を省略している。
【００２４】
スロット番号通知部２には、ｎ個のスロットＮＳＬ１〜ＮＳＬｎにそれぞれ対応するｎ個の信号線群ＳＮＬＧが設けられている。各信号線群ＳＮＬＧはｌ（≧１）本の信号線ＳＮＬで構成されている。ここでｌに関して２l＝ｎの関係式が成立する。例えば、３２個のスロットＮＳＬ１〜ＮＳＬ３２が存在する場合には、各信号線群ＳＮＬＧでは信号線ＳＮＬの数は５本となる。
【００２５】
各信号線群ＳＮＬＧでは、それに対応するスロットＮＳＬに各信号線ＳＮＬの一端が接続されている。また各信号線群ＳＮＬＧでは、信号線ＳＮＬの他端のそれぞれは、接地電位が印加されるか、あるいは何も接続されずにオープン状態となっている。そして、ｌ本の信号線ＳＮＬの他端の状態は、ｎ個の信号線群ＳＮＬＧの間で互いに異なっており、当該他端の状態によって、対応するスロットＮＳＬのスロット番号を表現している。例えば、図３に示されるように、ネットワーク収容カードＮＣ１が接続されるスロットＮＳＬ１に対応する信号線群ＳＮＬＧでは、すべての信号線ＳＮＬの他端に接地電位が印加され、ネットワーク収容カードＮＣ２が接続されるスロットＮＳＬ２に対応する信号線群ＳＮＬＧでは、（ｌ−１）本の信号線ＳＮＬの他端に接地電位が印加され、１本の信号線ＳＮＬの他端はオープン状態となっている。
【００２６】
ネットワーク収容カードＮＣでは抵抗素子Ｒがｌ個設けられており、ネットワーク収容カードＮＣの接続端子３２がスロットＮＳＬに接続されると、ｌ個の抵抗素子Ｒの他端は、当該スロットＮＳＬに対応する信号線群ＳＮＬＧのｌ本の信号線ＳＮＬにそれぞれ電気的に接続されるようになる。その結果、当該ｌ本の信号線ＳＮＬのうち、他端がオープン状態であった信号線の電位は電源電位となり、他端に接地電位が印加されている信号線の電位は接地電位のままである。これにより、ネットワーク収容カードＮＣ内の実装情報インタフェース部２３には、当該ネットワーク収容カードＮＣが接続されたスロットＮＳＬのスロット番号を示すｌビットのデータが入力される。
【００２７】
例えば、ｌ＝５のとき、“０００００”〜“１１１１１”のデータが、スロット番号１〜３２までにそれぞれ対応するように、各信号線群ＳＮＬＧにおける信号線ＳＮＬの他端の状態を設定すると、スロットＮＳＬ１に接続されたネットワーク収容カードＮＣ１の実装情報インタフェース部２３には“０００００”のデータが、スロットＮＳＬ２に接続されたネットワーク収容カードＮＣ２の実装情報インタフェース部２３には“００００１”のデータが、スロット番号の情報としてそれぞれ入力される。また、スロットＮＳＬ３２に接続されたネットワーク収容カードＮＣ３２の実装情報インタフェース部２３には“１１１１１”のデータがスロット番号の情報として入力される。このようにして、実装情報インタフェース部２３は、ネットワーク収容カードＮＣが接続されたスロットＮＳＬのスロット番号を認識することができる。
【００２８】
ネットワーク収容カードＮＣの接続端子３２がスロットＮＳＬに接続されると、ネットワークインタフェース部２２は主信号伝送バスＭＳＢと、実装情報インタフェース部２３は実装情報伝送バスＩＩＢと、設定値インタフェース部２５は設定値伝送バスＳＶＢとそれぞれ電気的に接続されるようになり、自カード警報情報記憶部２８及び警報出力設定レジスタ３１は警報関連信号伝送バスＡＲＢに電気的に接続されるようになる。
【００２９】
次に本実施の形態に係るネットワーク中継装置１００の動作について説明する。まず、本ネットワーク中継装置１００における複数のネットワーク間の信号の中継処理について説明する。スロットＮＳＬに接続されているネットワーク収容カードＮＣにおいて、後述するようにネットワークとのインタフェースの設定が完了すると、当該ネットワーク収容カードＮＣに接続されているネットワークからのネットワーク信号は、収容ポート２１を介してネットワークインタフェース部２２に入力される。ネットワークインタフェース部２２は、ネットワークに応じたインタフェースでネットワーク信号を正常に受信し、受信したネットワーク信号をバックプレーン回路ＢＰＣの主信号伝送バスＭＳＢ上に出力する。そして、主信号伝送バスＭＳＢ上に出力されたネットワーク信号はスロットＭＳＳＬに接続された主信号制御カードＭＳＣに入力される。
【００３０】
主信号制御カードＭＳＣは受け取ったネットワーク信号に含まれる宛先アドレス情報に基づいて、当該ネットワーク信号に含まれる通信パケットをどのネットワークに出力するかを決定する。そして、主信号制御カードＭＳＣは、出力先のネットワークに接続されているネットワーク収容カードＮＣに対して受け取った通信パケットを主信号伝送バスＭＳＢを介して出力する。ネットワーク収容カードＮＣに入力された通信パケットは、ネットワークインタフェース部２２に入力され、当該ネットワークインタフェース部２２は受け取った通信パケットを、自身に接続されているネットワークに応じたインタフェースで収容ポート２１に送信する。このようにして、複数のネットワーク間の信号が本ネットワーク中継装置１００によって中継される。
【００３１】
このように、本実施の形態に係るネットワーク中継装置１００では、ネットワーク間の信号の中継動作は、主信号制御カードＭＳＣとネットワーク収容カードＮＣとで実行され、当該中継動作にはマネージメントカードＭＭＣは関与していない。
【００３２】
次に、マネージメントカードＭＭＣの警報出力設定処理について説明する。スロットＭＭＳＬに接続されているマネージメントカードＭＭＣ内のＣＰＵ１１は、あるスロットＮＳＬにネットワーク収容カードＮＣが接続されると、図示しない記憶部に記憶されている警報出力設定用のアプリケーションを実行する。そうすると、ＣＰＵ１１は、警報関連信号伝送バスＡＲＢを利用して、新たに実装されたネットワーク収容カードＮＣ内の警報出力設定レジスタに上述の警報出力設定値を書き込む。これにより、警報出力設定処理が完了し、ネットワーク収容カードＮＣの警報出力がマネージメントカードＭＭＣによって制御される。
【００３３】
なおネットワーク収容カードＮＣは、マネージメントカードＭＭＣと同様に、スロットＮＳＬに接続されるとその旨を示す実装通知信号を出力する。この実装通知信号は、バックプレーン回路ＢＰＣ上にスロットＮＳＬごとに設けられた信号線によってマネージメントカードＭＭＣに伝送される。これにより、マネージメントカードＭＭＣはネットワーク収容カードＮＣがスロットＮＳＬに接続された旨と、そのスロット番号とを認識することができる。
【００３４】
次に、マネージメントカードＭＭＣにおけるネットワーク収容カードＮＣに対する状態監視処理について説明する。スロットＭＭＳＬに接続されているマネージメントカードＭＭＣ内のＣＰＵ１１は、図示しない記憶部に記憶されている監視アプリケーションを実行する。そうすると、ＣＰＵ１１は、スロットＮＳＬに接続されているネットワーク収容カードＮＣにおける自カード警報情報記憶部２８に対して警報関連信号伝送バスＡＲＢを介して一定周期でアクセスし、そこから警報情報ＡＲＭを読み出す。そして、ＣＰＵ１１は読み出した警報情報ＡＲＭを警報情報記憶部１３に書き込む。これにより、警報情報記憶部１３内には、実装されている各ネットワーク収容カードＮＣについての過去及び現在の警報情報ＡＲＭが記憶される。
【００３５】
ＣＰＵ１１は、外部入出力端子１７に接続されている外部装置から外部インタフェース部１５を介して警報情報ＡＲＭの出力要求を受け取ると、実装されている各ネットワーク収容カードＮＣについての警報情報ＡＲＭを警報情報記憶部１３内から読み出して外部インタフェース部１５に出力する。外部インタフェース部１５は受け取った警報情報ＡＲＭを外部入出力端子１７に出力し、当該警報情報ＡＲＭは外部装置に入力される。これにより、外部装置は、実装されている各ネットワーク収容カードＮＣについての警報情報ＡＲＭの履歴を認識することができる。
【００３６】
なお、ネットワーク収容カードＮＣのネットワークインタフェース部２２は、通信パケット量などのネットワークとの通信状態に関する情報（以後、「通信関連情報」と呼ぶ）を取得し、当該通信関連情報を図示しない記憶部に記憶する。この通信関連情報を記憶する記憶部は、バックプレーン回路ＢＰＣ上の図示しないバスでマネージメントカードＭＭＣのＣＰＵ１１と電気的に接続されるようになっており、ＣＰＵ１１は通信関連情報を当該記憶部から読み出すことが可能となっている。ＣＰＵ１１は、スロットＮＳＬに接続されている各ネットワーク収容カードＮＣから周期的に通信関連情報を取得し、当該通信関連情報を図示しない記憶部に記憶する。そしてＣＰＵ１１は、外部装置からの出力要求があれば、通信関連情報を記憶部から読み出して外部インタフェース部１５に出力し、外部インタフェース部１５は受け取った通信関連情報を外部入出力端子１７を介して外部装置に出力する。
【００３７】
次に、ネットワーク収容カードＮＣに対するインタフェース設定値ＳＶのロード処理について説明する。図４は当該ロード処理を示すフローチャートである。図４に示されるように、ステップｓ１において、あるスロットＮＳＬにネットワーク収容カードＮＣが接続されて、本ネットワーク中継装置１００にネットワーク収容カードＮＣが新たに実装されると、ステップｓ２において、当該ネットワーク収容カードＮＣの設定値インタフェース部２５は、マネージメントカードＭＭＣから実装通知信号ＭＩＳを受け取ったか否かで、マネージメントカードＭＭＣが実装されているかどうかを確認する。そして、マネージメントカードＭＭＣが実装されていると、ステップｓ３において、設定値インタフェース部２５は、マネージメントカードＭＭＣの設定値記憶部１２に対して設定値伝送バスＳＶＢを介してアクセスし、そこからネットワーク収容カードＮＣのカード種類ＴＹＰに対応するインタフェース設定値ＳＶを読み出して受け取り、それを自カード設定値記憶部２６内に記憶するとともに、ネットワークインタフェース部２２に出力する。
【００３８】
例えば、新たに実装されたネットワーク収容カードＮＣがカード種類ＴＹＰ１のカードであれば、当該ネットワーク収容カードＮＣは、設定値記憶部１２内からカード種類ＴＹＰ１に対応するインタフェース設定値ＳＶ１を読み出し、カード種類ＴＹＰ２のカードであれば、設定値記憶部１２内からカード種類ＴＹＰ２に対応するインタフェース設定値ＳＶ２を読み出す。
【００３９】
次にステップｓ４において、ネットワークインタフェース部２２は、収容ポート２１に接続されるネットワークと通信を行う際の通信速度や全二重通信等の通信方式を、受け取ったインタフェース設定値ＳＶに基づいて設定する。これにより、ネットワーク収容カードＮＣにおけるネットワークとのインタフェースが設定され、ネットワークインタフェース部２２は収容ポート２１に接続されるネットワークとの通信が可能となる。その後、保守作業等のためにマネージメントカードＭＭＣがスロットＭＳＳＬから取り外された場合であっても、ネットワーク収容カードＮＣでは、ネットワークとのインタフェースは既に設定されているため、ネットワークとの通信は正常に行われる。よって、ネットワーク収容カードＮＣにおいてネットワークとのインタフェースが設定された後にマネージメントカードＭＭＣがスロットＭＳＳＬから取り外された場合であっても、本ネットワーク中継装置１００は、ネットワーク間の信号の中継を正常に行うことができる。
【００４０】
一方で、ステップｓ３が実行されると、ステップｓ５において、実装情報インタフェース部２３は、ネットワーク収容カードＮＣのカード種類ＴＹＰを自カード種類記憶部２４から読み出して、当該カード種類を示す情報（以後、「カード種類情報ＣＩ」と呼ぶ）を所定のタイミングで周期的に実装情報伝送バスＩＩＢ上に出力する。
【００４１】
本実施の形態では、スロットＮＳＬに接続された各ネットワーク収容カードＮＣから実装情報伝送バスＩＩＢ上に出力されるカード種類情報ＣＩと、バックプレーン回路ＢＰＣの基準信号生成部１から実装情報伝送バスＩＩＢ上に出力されるスタートフラグＳＴＡＲＴ及びストップフラグＳＴＯＰとでデータ信号２０２が構成され、当該データ信号２０２と基準信号生成部１から実装情報伝送バスＩＩＢ上に出力される伝送クロック信号２０１とで実装情報２００が構成される。図５は実装情報２００の構成を示す図である。以下に、図５を参照して、スタートフラグＳＴＡＲＴ、ストップフラグＳＴＯＰ及びカード種類情報ＣＩの実装情報伝送バスＩＩＢ上への出力タイミングについて説明する。
【００４２】
図５に示されるように、基準信号生成部１は、伝送クロック信号２０１のある立ち下がりタイミングで、実装情報伝送バスＩＩＢ上にスタートフラグＳＴＡＲＴを出力する。そして、スロットＮＳＬに接続されたネットワーク収容カードＮＣのそれぞれは、スタートフラグＳＴＡＲＴを受け取ると、他のネットワーク収容カードＮＣからのカード種類情報ＣＩと衝突しないように、自身が接続されているスロットＮＳＬのスロット番号に固有のタイミングで、伝送クロック信号２０１の立下りに同期してカード種類情報ＣＩを実装情報伝送バスＩＩＢ上に出力する。そして基準信号生成部１は、スタートフラグＳＴＡＲＴを出力した後、仮にスロットＮＳＬ１〜ＮＳＬｎのすべてにネットワーク収容カードＮＣが接続されている場合において一番最後に実装情報伝送バスＩＩＢ上に出力されるカード種類情報ＣＩと衝突しないタイミングで、伝送クロック信号２０１の立下りに同期して実装情報伝送バスＩＩＢ上にストップフラグＳＴＯＰを出力する。なお実装情報インタフェース部２３は、接続端子３２に接続されている複数の抵抗素子Ｒの他端での信号レベルから、自身が属するネットワーク収容カードＮＣが接続されているスロットＮＳＬのスロット番号を認識することができる。
【００４３】
図５に示される例では、スタートフラグＳＴＡＲＴが出力された後は、スロットＮＳＬ１〜ＮＳＬｎの順でそれらに接続されたネットワーク収容カードＮＣからカード種類情報ＣＩが出力され、その後ストップフラグＳＴＯＰが出力されている。図５の例では、スロットＮＳＬ１〜ＮＳＬｎのすべてにネットワーク収容カードＮＣが接続されている場合のデータ信号２０２の構成を示しているが、ネットワーク収容カードＮＣが接続されていないスロットＮＳＬのスロット番号に対応するタイミングではカード種類情報ＣＩは実装情報伝送バスＩＩＢ上には出力されないため、データ信号２０２が常にｎ個のカード種類情報ＣＩを含んでいるとは限らない。
【００４４】
図４のステップｓ２において、新たに実装されたネットワーク収容カードＮＣの設定値インタフェース部２５がマネージメントカードＭＭＣは実装されていないと判断すると、ステップｓ６において、実装情報インタフェース部２３は、実装情報伝送バスＩＩＢ上の実装情報２００のデータ信号２０２を参照して、自身が属するネットワーク収容カードＮＣと同じカード種類ＴＹＰの他のネットワーク収容カードＮＣが接続されているスロットＮＳＬのスロット番号を認識する。上述のように、実装情報伝送バスＩＩＢ上には、スロット番号に固有のタイミングでカード種類情報ＣＩが出力されるため、実装情報インタフェース部２３は、自身が属するネットワーク収容カードＮＣと同じカード種類ＴＹＰを示すカード種類情報ＣＩがどのタイミングで出力されるかを認識することによって、当該同じカード種類ＴＹＰの他のネットワーク収容カードＮＣが接続されているスロットＮＳＬのスロット番号を理解できる。
【００４５】
次にステップｓ７において、新たに実装されたネットワーク収容カードＮＣの設定値インタフェース部２５は、ステップｓ６で認識されたスロット番号のスロットＮＳＬに接続されている他のネットワーク収容カードＮＣに対して設定値伝送バスＳＶＢを介してアクセスし、アクセスされた当該他のネットワーク収容カードＮＣの設定値インタフェース部２５は自カード設定値記憶部２６からインタフェース設定値ＳＶを読み出して設定値伝送バスＳＶＢ上に出力する。このインタフェース設定値ＳＶは新たに実装されたネットワーク収容カードＮＣの設定値インタフェース部２５に入力される。これにより、新たに実装されたネットワーク収容カードＮＣには、自身のカード種類ＴＹＰに対応するインタフェース設定値ＳＶが、同じカード種類ＴＹＰの他のネットワーク収容カードＮＣから入力される。
【００４６】
例えば、スロットＮＳＬ１にカード種類ＴＹＰ１のネットワーク収容カードＮＣ１が既に接続され、スロットＮＳＬｎにカード種類ＴＹＰ２のネットワーク収容カードＮＣｎが既に接続されている状態で、スロットＮＳＬ２にカード種類ＴＹＰ１のネットワーク収容カードＮＣ２が新たに接続された場合、ネットワーク収容カードＮＣ２は、実装情報伝送バスＩＩＢ上のデータ信号２０２を参照することによって、自身と同じカード種類ＴＹＰ１のネットワーク収容カードＮＣ１が接続されているスロットＮＳＬ１のスロット番号１を認識することができる。そしてネットワーク収容カードＮＣ２は認識したスロット番号１のスロットＮＳＬ１に接続されているネットワーク収容カードＮＣ１から、自身のカード種類ＴＹＰ１に対応するインタフェース設定値ＳＶを受け取る。
【００４７】
ステップｓ７において、インタフェース設定値ＳＶを受け取った設定値インタフェース部２５は、当該インタフェース設定値ＳＶを自カード設定値記憶部２６に記憶するとともに、ネットワークインタフェース部２２に出力する。その後、上述のステップｓ４が実行されて、新たに実装されたネットワーク収容カードＮＣではネットワークとのインタフェースが設定される。また、ステップｓ７の実行後には上述のステップｓ５も実行され、新たに実装されたネットワーク収容カードＮＣの実装情報インタフェース部２３は、自カード種類記憶部２４からカード種類情報ＣＩを読み出して実装情報伝送バスＩＩＢ上に出力する。
【００４８】
このように、本実施の形態に係るネットワーク中継装置１００では、スロットＮＳＬに接続されたネットワーク収容カードＮＣは、マネージメントカードＭＭＣがスロットＭＭＳＬに接続されていない場合には、スロットＮＳＬに接続された他のネットワーク収容カードＮＣから自身のカード種類ＴＹＰに対応したインタフェース設定値ＳＶを受け取って記憶するとともに、当該インタフェース設定値ＳＶに基づいてネットワークとのインタフェースを設定している。したがって、保守作業等のためにマネージメントカードＭＭＣが取り外された場合であっても、新たにスロットＮＳＬに接続されたネットワーク収容カードＮＣは、自身に接続されたネットワークとの通信を行うことができる。その結果、本ネットワーク中継装置１００は、マネージメントカードＭＭＣが実装されていない場合であっても、複数のネットワーク間の信号を正常に中継することができる。
【００４９】
なお本実施の形態では、スロットＮＳＬに接続されたネットワーク収容カードＮＣは、自身のカード種類ＴＹＰに対応するインタフェース設定値ＳＶのみを記憶していたが、それだけではなく、自身とは異なるカード種類ＴＹＰに対応するインタフェース設定値ＳＶを記憶して良い。以下にこの場合の本ネットワーク中継装置１００の動作について説明する。
【００５０】
図６は、ネットワーク収容カードＮＣに対するインタフェース設定値ＳＶのロード処理の変形例を示すフローチャートである。図６に示されるように、上述のステップｓ１において新たにネットワーク収容カードＮＣが実装されると、上述のステップｓ２が実行される。ステップｓ２において、マネージメントカードＭＭＣが実装されていると判断されると、ステップｓ１３において、新たに実装されたネットワーク収容カードＮＣの設定値インタフェース部２５は、マネージメントカードＭＭＣの設定値記憶部１２に対して設定値伝送バスＳＶＢを介してアクセスし、そこから、記憶されているすべてのインタフェース設定値ＳＶと、当該インタフェース設定値ＳＶにそれぞれ対応して記憶されているカード種類ＴＹＰのすべてを読み出す。そして設定値インタフェース部２５は、読み出したインタフェース設定値ＳＶとカード種類ＴＹＰとを互いに対応付けて自カード設定値記憶部２６に記憶するとともに、読み出したカード種類ＴＹＰを実装情報インタフェース部２３を介して自カード種類記憶部２４に記憶する。これにより、自カード設定値記憶部２６内には、それが属するネットワーク収容カードＮＣのカード種類ＴＹＰに対応するインタフェース設定値ＳＶのみならず、他のカード種類ＴＹＰに対応するインタフェース設定値ＳＶも記憶され、自カード種類記憶部２４内には、自カード設定値記憶部２６が記憶するすべてのインタフェース設定値ＳＶにそれぞれ対応するカード種類ＴＹＰが記憶される。そして、設定値インタフェース部２５は、自身が属するネットワーク収容カードＮＣのカード種類ＴＹＰに対応するインタフェース設定値ＳＶをネットワークインタフェース部２２に出力する。その後、上述のステップｓ４が実行されて、新たに実装されたネットワーク収容カードＮＣではネットワークとのインタフェースの設定が完了する。
【００５１】
一方で、ステップｓ１３が実行されると、ステップｓ１５において、新たに実装されたネットワーク収容カードＮＣの実装情報インタフェース部２３は、自カード種類記憶部２４内のすべてのカード種類ＴＹＰを読み出して、これらのカード種類ＴＹＰを示す情報（以後、「全カード種類情報ＡＣＩ」と呼ぶ）を上述のカード種類情報ＣＩの替わりに実装情報伝送バスＩＩＢ上に出力する。したがって、この例では、実装情報２００は、スタートフラグＳＴＡＲＴ、ストップフラグＳＴＯＰ及びスロットＮＳＬに接続された各ネットワーク収容カードＮＣから出力される全カード種類情報ＡＣＩから成るデータ信号２０２と、伝送クロック信号２０１とで構成されることになる。
【００５２】
上述のステップｓ２において、マネージメントカードＭＭＣが実装されていないと判断されると、ステップｓ１６において、新たに実装されたネットワーク収容カードＮＣの実装情報インタフェース部２３は、実装情報伝送バスＩＩＢ上の実装情報２００のデータ信号２０２を参照して、自身が属するネットワーク収容カードＮＣのカード種類ＴＹＰに対応するインタフェース設定値ＳＶを記憶している他のネットワーク収容カードＮＣが接続されているスロットＮＳＬのスロット番号を認識する。そしてステップｓ１７において、新たに実装されたネットワーク収容カードＮＣの設定値インタフェース部２５は、ステップｓ１６で認識されたスロット番号のスロットＮＳＬに接続されている他のネットワーク収容カードＮＣに対して設定値伝送バスＳＶＢを介してアクセスし、アクセスされた当該他のネットワーク収容カードＮＣの設定値インタフェース部２５は、自カード設定値記憶部２６から、新たに実装されたネットワーク収容カードＮＣのカード種類ＴＹＰに対応するインタフェース設定値ＳＶを読み出して設定値伝送バスＳＶＢ上に出力する。このインタフェース設定値ＳＶは新たに実装されたネットワーク収容カードＮＣの設定値インタフェース部２５に入力される。これにより、新たに実装されたネットワーク収容カードＮＣには、自身のカード種類ＴＹＰに対応するインタフェース設定値ＳＶが入力される。
【００５３】
なおこの例では、スロットＮＳＬに接続されているネットワーク収容カードＮＣのそれぞれが、マネージメントカードＭＭＣが記憶しているすべてのインタフェース設定値ＳＶを受け取って記憶しているため、新たに実装されたネットワーク収容カードＮＣは、スロットＮＳＬに接続されているネットワーク収容カードＮＣのどれからであっても、自身のカード種類ＴＹＰに対応するインタフェース設定値ＳＶを受け取ることができる。
【００５４】
インタフェース設定値ＳＶを受け取った設定値インタフェース部２５は、当該インタフェース設定値ＳＶを自カード設定値記憶部２６に記憶するとともに、ネットワークインタフェース部２２に出力する。その後、上述のステップｓ４が実行されて、新たに実装されたネットワーク収容カードＮＣではネットワークとのインタフェースが設定される。また、ステップｓ１７の実行後には上述のステップｓ１５も実行される。
【００５５】
このように、スロットＮＳＬに接続されたネットワーク収容カードＮＣは、自身のカード種類ＴＹＰに対応したインタフェース設定値ＳＶだけではなく、自身とは異なるカード種類ＴＹＰに対応したインタフェース設定値ＳＶも受け取って記憶するため、新たに実装されたネットワーク収容カードＮＣは、自身と同じカード種類ＴＹＰの他のネットワーク収容カードＮＣがスロットＮＳＬに接続されていない場合であっても、自身とは異なるカード種類ＴＹＰの他のネットワーク収容カードＮＣから自身のカード種類ＴＹＰに対応するインタフェース設定値ＳＶを受け取ることができ、ネットワークとのインタフェースを確実に設定することができる。その結果、保守作業等のためにマネージメントカードＭＭＣが取り外された場合であっても、新たに実装されたネットワーク収容カードＮＣはネットワークとの通信を確実に行うことができ、本ネットワーク中継装置１００はネットワーク間の信号を確実に中継できる。
【００５６】
なお上記例では、ネットワーク収容カードＮＣは、マネージメントカードＭＭＣからその設定値記憶部１２に記憶されているすべてのインタフェース設定値ＳＶを受け取っていたが、必ずしもすべてのインタフェース設定値ＳＶを受け取る必要はなく、自身とは異なるカード種類ＴＹＰに対応するインタフェース設定値ＳＶを少なくとも一種類受け取るだけでも、上記効果を発揮することができる。
【００５７】
また、本実施の形態に係るネットワーク中継装置１００では、ネットワーク収容カードＮＣが記憶するインタフェース設定値ＳＶの受け取り元を判別する情報（以後、「受け取り元情報」と呼ぶ）を当該ネットワーク収容カードＮＣが記憶しても良い。図７はこの場合のネットワーク収容カードＮＣの構成を示すブロック図である。図７に示されるネットワーク収容カードＮＣは、図３に示されるネットワーク収容カードＮＣにおいて受け取り元情報記憶部４１を更に備えたものである。設定値インタフェース部２５は、自身が属するネットワーク収容カードＮＣのカード種類ＴＹＰに対応するインタフェース設定値ＳＶを受け取ると、当該インタフェース設定値ＳＶをマネージメントカードＭＭＣから受け取ったのか、あるいは他のネットワーク収容カードＮＣから受け取ったのかを示す情報を受け取り元情報ＲＩとして受け取り元情報記憶部４１に記憶する。
【００５８】
受け取り元情報記憶部４１は接続端子３２に接続されており、ネットワーク収容カードＮＣの接続端子３２がスロットＮＳＬに接続されると、自カード警報情報記憶部２８や警報出力設定レジスタ３１とともに警報関連信号伝送バスＡＲＢに電気的に接続される。これにより、スロットＭＭＳＬに接続されたマネージメントカードＭＭＣのＣＰＵ１１は、受け取り元情報記憶部４１から受け取り元情報ＲＩを読み出すことができる。図７に示されるネットワーク収容カードＮＣのその他の構成については、図３に示されるネットワーク収容カードＮＣと同じであるため、その説明は省略する。
【００５９】
このように、図７に示されるネットワーク収容カードＮＣは、自身が記憶するインタフェース設定値ＳＶの受け取り元を判別するための受け取り元情報ＲＩもさらに記憶し、マネージメントカードＭＭＣは当該受け取り元情報ＲＩをバックプレーン回路ＢＰＣを介してネットワーク収容カードＮＣから読み出すことができる。そのため、マネージメントカードＭＭＣは、ネットワーク収容カードＮＣが自身のカード種類ＴＹＰに対応するインタフェース設定値ＳＶを当該マネージメントカードＭＭＣから受け取ったのか、あるいは他のネットワーク収容カードＮＣから受け取ったのかを認識することができる。したがって、例えば、あるネットワーク収容カードＮＣでのインタフェース設定値ＳＶの受け取り元が他のネットワーク収容カードＮＣである場合には、マネージメントカードＭＭＣは、当該あるネットワーク収容カードＮＣ内のインタフェース設定値ＳＶの内容と、それに対応する自身が記憶しているインタフェース設定値ＳＶの内容とを比較して、何らかの不具合で両インタフェース設定値ＳＶの内容に相違がある場合には、自身が記憶するインタフェース設定値ＳＶでもって、当該あるネットワーク収容カードＮＣ内のインタフェース設定値ＳＶを修正することができる。
【図面の簡単な説明】
【００６０】
【図１】本発明の実施の形態に係るネットワーク中継装置の構成を示すブロック図である。
【図２】本発明の実施の形態に係るマネージメントカードの構成を示すブロック図である。
【図３】本発明の実施の形態に係るネットワーク収容カードの構成を示すブロック図である。
【図４】本発明の実施の形態に係るネットワーク中継装置の動作を示すフローチャートである。
【図５】本発明の実施の形態に係る実装情報の構成を示す図である。
【図６】本発明の実施の形態に係るネットワーク中継装置の変形例の動作を示すフローチャートである。
【図７】本発明の実施の形態に係るネットワーク収容カードの変形例の構成を示すブロック図である。
【符号の説明】
【００６１】
１００  ネットワーク中継装置、ＢＰＣ  バックプレーン回路、ＭＭＣ  マネージメントカード、ＭＭＳＬ，ＮＳＬ１〜ＮＳＬｎ  スロット、ＮＣ，ＮＣ１〜ＮＣｎ  ネットワーク収容カード。
【図１】
2007088668.tif 000003
【図２】
2007088668.tif 000004
【図３】
2007088668.tif 000005
【図４】
2007088668.tif 000006
【図５】
2007088668.tif 000007
【図６】
2007088668.tif 000008
【図７】
2007088668.tif 000009